(57)【要約】【課題】位置調整可能なスライダの緩みを防止するとともに、取付けガタの防止を図ることができ、これによって、幾何特性や色ズレなどの読み込まれた画像の画像特性の悪化を防止する。【解決手段】画像の読み取りを行う際に照射光の走査を行う走査手段に取り付けるスライダ３０４（３０５）に、このスライダ３０４（３０５）のビス部３０４ｂ（３０５ｂ）の軸線方向Ｙに沿った断面形状と、このスライダをねじ込むミラーユニット３０１のビス穴部３０１ａの軸線方向Ｘに沿った断面形状とに重なる部分を設ける。この重なる部分を塑性変形可能な樹脂材料から構成する。ビス部３０４ｂ（３０５ｂ）とビス穴部３０１ａとを係合させる際に、断面形状の重なる部分を塑性変形させて、取り付けの緩みを吸収させる。【選択図】　　　　図２
2004126158.tif 000002
【特許請求の範囲】
【請求項１】
原稿に光を照射する光学手段と、
上記光学手段により光が照射された原稿から反射した光を、反射可能に構成された光学反射系と、
上記光学反射系を移動させる走査手段と、
上記走査手段による走査を行う走査面と、
上記走査手段と上記走査面との摺動部における、上記走査手段の側に設けられた複数のスライダ部材とを有し、
上記複数のスライダ部材のうちの少なくとも１つのスライダ部材が、上記走査面に当接する摺動面と、上記走査面に対して鉛直方向に設けられたビス部とを有するとともに、上記走査手段に対して、鉛直方向の取り付け位置に沿って位置調整可能に構成され、
上記位置調整可能なスライダ部材の少なくとも表面部が、塑性変形可能な材料から構成され、
上記走査手段に、上記位置調整可能なスライダ部材の上記ビス部に係合するビス穴部が設けられ、
上記ビス部の軸線方向に沿った断面形状が、上記ビス穴部の軸線方向に沿った断面形状に対して重なり合う箇所を有し、
上記原稿に光を照射しつつ、上記走査手段により上記光学手段を走査して上記原稿の画像を読み取る
ことを特徴とする画像読取装置。
【請求項２】
原稿が載置される原稿載置手段と、
上記原稿載置手段に載置された原稿に光を照射する光学手段と、
上記光が照射された原稿から反射した光を反射可能に構成された、第１の反射系、第２の反射系および第３の反射系と、
上記光学手段および上記第１の反射系を支持するとともに移動させる第１の走査手段と、
上記第２の反射系および上記第３の反射系を支持するとともに移動させる第２の走査手段と、
上記第１の走査手段による走査を行う第１の走査面と、
上記第２の走査手段による走査を行う第２の走査面と、
上記第１の走査手段と上記第１の走査面との摺動部における、上記第１の走査手段の側に設けられた、少なくとも３つの第１のスライダ部材と、
上記第２の走査手段と上記第２の走査面との摺動部における、上記第２の走査手段の側に設けられた、少なくとも３つの第２のスライダ部材とを有し、
上記第１のスライダ部材および上記第２のスライダ部材のうちの少なくとも１つのスライダ部材が、上記第１の走査面および／または上記第２の走査面に当接する摺動面と、上記第１の走査面および／または上記第２の走査面に対して鉛直方向に設けられたビス部とを有し、
上記第１のスライダ部材および上記第２のスライダ部材のうちの少なくとも１つのスライダ部材が、上記第１の走査手段または上記第２の走査手段に対する鉛直方向の取り付け位置において、位置調整可能に構成され、
上記第１のスライダ部材および／または上記第２のスライダ部材のうちの上記位置調整可能に構成されたスライダ部材が、塑性変形可能な材料から構成され、上記位置調整可能なスライダ部材を有する走査手段に、上記位置調整可能なスライダ部材における上記ビス部に係合するビス穴部が設けられ、
上記位置調整可能なスライダ部材における上記ビス部の軸線方向の断面形状が、上記ビス穴部の軸線方向の断面形状に対して重なり合う箇所を有する
ことを特徴とする画像読取装置。
【請求項３】
上記位置調整可能なスライダ部材における上記ビス部の軸線方向に沿った断面形状と、上記ビス穴部の軸線方向に沿った断面形状との重なり合う部分が、上記ビス部における先端領域以外の領域に設けられている
ことを特徴とする請求項１または２記載の画像読取装置。
【請求項４】
上記位置調整可能なスライダ部材の鉛直方向に沿った一端に凹部が設けられ、上記凹部が上記ビス部を軸線方向に回転させる工具と係合可能に形成されている
ことを特徴とする請求項１〜３のいずれか１項記載の画像読取装置。
【請求項５】
上記塑性変形可能な材料が、樹脂材料である
ことを特徴とする請求項１または２記載の画像読取装置。
【発明の詳細な説明】
【０００１】
【発明の属する技術分野】
この発明は、画像読取装置に関し、特に、電子写真複写機やイメージスキャナなどに用いられる画像読取装置に適用して好適なものである。
【０００２】
【従来の技術】
従来、複写機やイメージスキャナなどに用いられる画像読取装置として、図４に示すような構成が広く用いられている。
【０００３】
図４に示すように、従来の画像読取装置においては、読み取りの対象となる原稿１０１を載置するプラテンガラス１０２と、シェーディング補正用の白色板１０３と、原稿１０１を抑える圧板１０４とが設けられている。
【０００４】
また、レンズユニット１０５は、原稿１０１に照射された光の反射光をＣＣＤリニアイメージセンサ１０６上に縮小結像させるためのものである。
【０００５】
また、第１ミラーユニット１１０は、キセノン管からなる原稿照明ランプ１１１、第１反射ミラー１１２、および原稿照明ランプ１１１を点灯させるインバータ１１３から構成される。また、第２ミラーユニット１２０は、第２反射ミラー１２１および第３反射ミラー１２２から構成される。
【０００６】
上述した構成においては、ステッピングモータ１０７によって、第１ミラーユニット１１０および第２ミラーユニット１２０を副走査方向（図４中、右方向）に移動走査させることにより、プラテンガラス１０２上に載置された原稿１０１を読み取るように構成されている。
【０００７】
また、リーダー１３０には、読み取った画像に関する幾何特性、倍率、または解像度などを調整するための調整機構が設けられている。そして、この画像調整機構を調整することによって光学調整が行われる。
【０００８】
従来、このような画像調整機構の１つとして、第２ミラーユニット１２０中の第２反射ミラー１２１および第３反射ミラー１２２に関して、図４中矢印ａの方向に沿った位置を調整するような調整機構が広く用いられている。
【０００９】
このような従来技術による調整機構の方式について、図５および図６を参照しつつ説明する（特許文献１）。図５および図６においては、上面図、正面図および左右側面図を示す。
【００１０】
図５に示すように、第２ミラーフレーム２０１は、第２反射ミラー１２１および第３反射ミラー１２２を支持するためのフレームである。この第２ミラーフレーム２０１においては、第２ミラーユニット１２０ａの走査面である光学レール前２５１および光学レール後２５２と摺動する箇所に、それぞれスライダ２０４，２０５およびスライダ２０６，２０７が設けられている。
【００１１】
これらのうちの一方のスライダ２０４，２０５は、スライダフレーム前２０２に支持固定されている。また、他方のスライダ２０６，２０７は、スライダフレーム後２０３に支持固定されている。
【００１２】
また、スライダフレーム前２０２は、第２ミラーフレーム２０１に対して図５中矢印ｂの方向に沿って位置調整ができるように、ビス２０８により支持固定されている。また、同様にビス２０９も設けられている。
【００１３】
ここで、第２ミラーフレーム２０１に対するスライダフレーム前２０２の位置は、画像の幾何特性に基づいて、第２反射ミラー１２１および第３反射ミラー１２２のスラスト方向の傾きを合わせるために調整される。
【００１４】
スライダフレーム後２０３は、第２ミラーフレーム２０１に設けられた軸２１０を中心とした回転方向の位置を調整可能に構成され、第２ミラーフレーム２０１に対して支持固定される。
【００１５】
ここで、第２ミラーフレーム２０１に対するスライダフレーム後２０３の位置は、スライダ２０４，２０５，２０６，２０７における平面度を向上させるために調整される。
【００１６】
また、図６に示すように、第２ミラーフレーム３０１を、ビスなどにより前側板３０２および後側板３０３に締結された構成も提案されている。
【００１７】
すなわち、この第２ミラーフレーム３０１には、第２反射ミラー１２１および第３反射ミラー１２２が支持されている。また、第２ミラーフレーム３０１においては、第２ミラーユニット１２０ｂの走査面である光学レール前３５１および光学レール後３５２と摺動する箇所に、それぞれスライダ３０４，３０５およびスライダ３０６，３０７が支持固定されている。
【００１８】
これらのスライダ３０４，３０５の詳細について、図７を参照しつつ説明する。なお、図７Ｂは、図７Ａの部分拡大断面図である。
【００１９】
すなわち、図７Ａに示すように、スライダ３０４は、光学レール前３５１に摺動する摺動部３０４ａと、光学レール面と、鉛直方向に設けられたビス部３０４ｂとから構成されている。
【００２０】
他方、スライダ３０５は、スライダ３０４におけると同様に、光学レール後３５２に摺動する摺動部３０５ａと、光学レール面に対して鉛直方向に設けられたビス部３０５ｂとから構成されている。
【００２１】
また、図７Ｂに、図７Ａのビス部３０４ｂ，３０５ｂの拡大図を示す。この図７Ｂに示すように、第２ミラーフレーム３０１には、上述したビス部３０４ｂ，３０５ｂと係合可能なビス穴部３０１ａが形成されている。
【００２２】
また、図７Ｂに示すように、スライダ３０４，３０５には、調整工具３６１と係合可能な凹部３０４ｃ，３０５ｃが設けられている。そして、この凹部３０４ｃ，３０５ｃに調整工具３６１を係合させて、光学レール前３５１または光学レール後３５２の面に平行な方向に、スライダ３０４，３０５を回転させることより、スライダ３０４，３０５の第２ミラーフレーム３０１に対する図中矢印ｂの方向に沿った位置を調整可能に構成されている。
【００２３】
上述したスライダ３０４，３０５の位置は、画像の幾何特性に基づいて第２反射ミラー１２１および第３反射ミラー１２２のスラスト方向の傾きを合わせるために調整される。さらに、スライダ３０４〜３０７の平面度を向上させるために調整される。
【００２４】
ここで、位置調整されたスライダ３０４，３０５は、第２の走査手段としての第２ミラーユニット１２０ｂの走査によってスライダ３０４，３０５の位置が移動しないように、接着剤３７１により第２ミラーフレーム３０１に対して位置が固定される。
【００２５】
【特許文献１】
特開２００１−２２２０７５号公報
【００２６】
【発明が解決しようとする課題】
しかしながら、上述した従来技術による第２反射ミラー１２１および第３反射ミラー１２２の傾き調整および、スライダの平面度調整の機構に関して、次のような問題があった。
【００２７】
すなわち、図５に示すように、従来技術においては、第２反射ミラー１２１および第３反射ミラー１２２を支持するための第２ミラーフレーム２０１と、スライダ２０４〜２０７を支持するためのスライダフレーム前２０２およびスライダフレーム後２０３とは、互いに分割して構成する必要がある。これにより、部品点数が増加し、高コスト化の要因になってしまう。
【００２８】
また、傾き調整や平面度の調整は、第２ミラーユニット１２０ａの側面方向からのドライバーアクセスが必要となる。ところが、本来、側面方向には、画像読取装置の枠体（図示せず）が存在するため、その作業性が非常に悪かった。
【００２９】
また、図６に示す従来技術の場合、上述した図５に示す従来技術のような課題は存在しない。ところが、第２ミラーユニット１２０ｂの走査により、第２ミラーフレーム３０１に対するスライダ３０４，３０５に生じる緩みが、新たに問題となった。
【００３０】
特に、近年のミラーユニットの高速化に伴い、スライダ３０４〜３０７を構成する材料としては、ポリオレフィン系などの高摺動性を有する材料が用いられている。そのため、接着剤３７１の接着力が急激に低下し、スライダ３０４，３０５が、より一層緩み易い状況になっている。
【００３１】
スライダ３０４，３０５におけるこのような緩みは、第２反射ミラー１２１および第３反射ミラー１２２の傾きを生じさせる原因となる。その結果、読み取り画像において、幾何特性の悪化が引き起こされる要因になってしまう。
【００３２】
そこで、スライダ３０４，３０５を強固な接着力を有する接着剤により接着する方法が考えられる。ところが、このように接着剤を用いた場合、市場における画像幾何特性の修正のために、スライダ３０４，３０５の高さを調整可能に構成する必要があるにもかかわらず、その調整が行うことが不可能になってしまう。そのため、強固な接着力を有する接着剤を用いて、スライダ３０４，３０５を接着する方法の採用は、極めて困難であった。
【００３３】
また、図６に示すような従来技術の場合、スライダ３０４，３０５および第２ミラーフレーム３０１は、上述したビス部３０４ｂ，３０５ｂとビス穴部３０１ａとの間に生じる微小なガタにより、仮にスライダ３０４，３０５に対する接着剤３７１の接着力が強固であっても、第２ミラーフレーム３０１に対するスライダ３０４，３０５の取付けガタが生じてしまう。
【００３４】
そして、この第２ミラーフレーム３０１に対するスライダ３０４，３０５の取付けガタにより、第２ミラーユニット１２０ｂの走査時においても振動が生じてしまう。これにより、例えば、モノクロ画像を読み込む場合には、画像の位置ズレが生じたり、カラースキャナの場合には、色ズレが生じたりする原因となる。
【００３５】
このように、スキャナなどの画像読取装置において、位置調整を行うスライダ部材の緩みや取付けガタの発生により、画像の位置ずれや色ずれが生じ、画像読取装置の信頼性や安定性に問題が生じるため、スライダ３０４，３０５などのスライダ部材における緩みや取り付けガタを防止することができる技術の開発が熱望されていた。
【００３６】
したがって、この発明の目的は、位置調整可能なスライダの緩みを防止するとともに、取付けガタの防止を図ることができ、これによって、幾何特性や色ズレなどの読み込まれた画像の画像特性の悪化を防止することができる画像読取装置を提供することにある。
【００３７】
【課題を解決するための手段】
上記目的を達成するために、この発明は、
画像の読み取りを行う際に原稿に対して照射光の走査を行う走査手段に取り付けるスライダ部材に、このスライダ部材のビス部の軸線方向に沿った断面形状と、このスライダ部材をねじ込む走査手段に設けられたビス穴部の軸線方向に沿った断面形状とにおいて、重なる部分を設け、この重なり部分を塑性変形可能な材料を有して構成し、ビス部とビス穴部とを係合させる際に、断面形状の重なる部分を塑性変形させるようにする
ことを特徴とするものである。
【００３８】
すなわち、具体的に、この発明の第１の発明は、
原稿に光を照射する光学手段と、
光学手段により光が照射された原稿から反射した光を、反射可能に構成された光学反射系と、
光学反射系を移動させる走査手段と、
走査手段による走査を行う走査面と、
走査手段と走査面との摺動部における、走査手段の側に設けられた複数のスライダ部材とを有し、
複数のスライダ部材のうちの少なくとも１つのスライダ部材が、走査面に当接する摺動面と、走査面に対して鉛直方向に設けられたビス部とを有するとともに、走査手段に対して、鉛直方向の取り付け位置に沿って位置調整可能に構成され、
位置調整可能なスライダ部材の少なくとも表面部が、塑性変形可能な材料から構成され、
走査手段に、位置調整可能なスライダ部材のビス部に係合するビス穴部が設けられ、
ビス部の軸線方向に沿った断面形状が、ビス穴部の軸線方向に沿った断面形状に対して重なり合う箇所を有し、
原稿に光を照射しつつ、走査手段により光学手段を走査して原稿の画像を読み取る
ことを特徴とする画像読取装置である。
【００３９】
また、この発明の第２の発明は、
原稿が載置される原稿載置手段と、
原稿載置手段に載置された原稿に光を照射する光学手段と、
光が照射された原稿から反射した光を反射可能に構成された、第１の反射系、第２の反射系および第３の反射系と、
光学手段および第１の反射系を支持するとともに移動させる第１の走査手段と、
第２の反射系および第３の反射系を支持するとともに移動させる第２の走査手段と、
第１の走査手段による走査を行う第１の走査面と、
第２の走査手段による走査を行う第２の走査面と、
第１の走査手段と第１の走査面との摺動部における、第１の走査手段の側に設けられた、少なくとも３つの第１のスライダ部材と、
第２の走査手段と第２の走査面との摺動部における、第２の走査手段の側に設けられた、少なくとも３つの第２のスライダ部材とを有し、
第１のスライダ部材および第２のスライダ部材のうちの少なくとも１つのスライダ部材が、第１の走査面および／または第２の走査面に当接する摺動面と、第１の走査面および／または第２の走査面に対して鉛直方向に設けられたビス部とを有し、
第１のスライダ部材および第２のスライダ部材のうちの少なくとも１つのスライダ部材が、第１の走査手段または第２の走査手段に対する鉛直方向の取り付け位置において、位置調整可能に構成され、
第１のスライダ部材および／または第２のスライダ部材のうちの位置調整可能に構成されたスライダ部材が、塑性変形可能な材料から構成され、
位置調整可能なスライダ部材を有する走査手段に、位置調整可能なスライダ部材におけるビス部に係合するビス穴部が設けられ、
位置調整可能なスライダ部材におけるビス部の軸線方向の断面形状が、ビス穴部の軸線方向の断面形状に対して重なり合う箇所を有する
ことを特徴とする画像読取装置である。
【００４０】
この発明において、典型的には、位置調整可能なスライダ部材におけるビス部の軸線方向に沿った断面形状と、ビス穴部の軸線方向に沿った断面形状との重なり合う部分が、ビス部における先端領域以外の領域に設けられている。
【００４１】
この発明において、スライダ部材の外部から、工具を用いて、このスライダ部材をねじ込んだり緩めたりすることができるようにするために、好適には、位置調整可能なスライダ部材の鉛直方向に沿った一端に凹部が設けられ、凹部がビス部を軸線方向に回転させる工具と係合可能に形成されている。
【００４２】
この発明において、塑性変形を容易に行うとともに、塑性変形による形状の変形により、スライダ部材とこのスライダ部材をねじ込む走査手段の側の緩みを、より効率よく吸収するために、具体的には、塑性変形可能な材料は、樹脂材料からなる。
【００４３】
上述のように構成されたこの発明による画像読取装置によれば、位置調整可能なスライダ部材の少なくとも表面部が、塑性変形可能な材料から構成され、走査手段に、位置調整可能なスライダ部材のビス部に係合するビス穴部が設けられ、ビス部の軸線方向に沿った断面形状が、ビス穴部の軸線方向に沿った断面形状に対して重なり合う箇所を有して構成されていることにより、位置調整可能なスライダ部材における係合部の隙間による緩みを、塑性変形可能な材料によって吸収して、スライダ部材における緩みを防止することができるとともに、取付けガタの防止を図ることができる。
【００４４】
【発明の実施の形態】
以下、この発明の一実施形態について図面を参照しながら説明する。なお、以下の一実施形態の全図においては、同一または対応する部分には、従来技術の説明におけると同一の符号を付す。
【００４５】
（画像読取装置）
まず、この発明の一実施形態による画像読取装置について説明する。図１に、この画像読取装置を示す。
【００４６】
図１に示すように、この一実施形態による画像読取装置においては、読み取りの対象となる原稿１を載置する原稿載置手段としてのプラテンガラス２と、シェーディング補正用の白色板３と、原稿１を抑える圧板４とが設けられている。また、この一実施形態による画像読取装置の内部には、レンズユニット５、ＣＣＤリニアイメージセンサ６、ステッピングモータ７、第１の走査手段としての第１ミラーユニット８および第２の走査手段としての第２ミラーユニット９が設けられている。
【００４７】
レンズユニット５は、原稿１に照射された光の反射光をＣＣＤ（Ｃｈａｒｇｅ　Ｃｏｕｐｌｅｄ　Ｄｅｖｉｃｅ）リニアイメージセンサ６上に縮小結像させるためのものである。
【００４８】
また、第１ミラーユニット８は、キセノン管からなる光学手段としての原稿照明ランプ１１、第１の反射系としての第１反射ミラー１２、および原稿照明ランプ１１を点灯させるインバータ１３から構成されている。また、第２ミラーユニット９は、第２の反射系としての第２反射ミラー１４および第３の反射系としての第３反射ミラー１５から構成されている。
【００４９】
以上の構成を有する画像読取装置においては、第１ミラーユニット８および第２ミラーユニット９が、ステッピングモータ７により副走査方向（図１中、右方向）に移動走査されて、プラテンガラス２上に載置された原稿１を読み取り可能に構成されている。
【００５０】
また、リーダー３０には、読み取った画像に関する幾何特性、倍率、または解像度などを調整するための調整機構が設けられている。そして、この画像調整機構を調整することによって光学調整が行われる。
【００５１】
（スライダ部材の構成）
次に、以上のように構成されたこの一実施形態による画像読取装置に用いられるスライダ部材について説明する。図２および図３に、この一実施形態によるスライダ部材を示す。また、必要に応じて、従来技術において参照した図６、図７をも参照しつつ説明する。なお、これらの図において従来技術と同様の構成部分については、その説明を省略する。
【００５２】
また、図２においては、図２Ｃに、スライダ３０４，３０５のビス部３０４ｂ，３０５ｂを示し、図２Ａに、スライダ３０４，３０５のビス部３０４ｂ，３０５ｂの軸線方向の断面図、図２Ｂに、その軸線方向に鉛直な平面の断面図を示す。
【００５３】
図２Ｂに示すように、スライダ３０４，３０５におけるビス部３０４ｂ（３０５ｂ）の谷部においては、円周方向に沿って４ヶ所の突起部３０４ｄ（３０５ｄ）が設けられている。これらの突起部３０４ｄ（３０５ｄ）は、ビスの谷部からビスの外周径までの高さにおける凸形状であり、円周方向にテーパー部３０５ｅ，３０５ｆが形成されている。
【００５４】
また、突起部３０４ｄ（３０５ｂ）は、図２Ｃに示すビス部３０４ｂ（３０５ｂ）の軸線方向に沿った矢印Ｘの範囲内に設けられている。すなわち、突起部３０４ｄ（３０５ｄ）は、ビス部３０４ｂ（３０５ｂ）の先端領域以外の領域に設けられており、矢印Ｘの上の矢印Ｙの範囲、すなわちビス部３０４ｂ（３０５ｂ）の先端領域には設けられない。
【００５５】
また、図６に示す第２ミラーフレーム３０１に、スライダ３０４（３０５）をねじ込む際には、スライダ３０４（３０５）の突起部３０４ｄ（３０５ｄ）が第２ミラーフレーム３０１のビス穴部３０１ａに塑性変形されながらねじ込まれる。
【００５６】
このように、スライダ３０４（３０５）は、突起部３０４ｄ（３０５ｄ）が塑性変形した状態で第２ミラーフレーム３０１のビス穴部３０１ａにねじ込まれる。これにより、スライダ３０４（３０５）の第２ミラーフレーム３０１に対する緩みトルクが増加する。そして、第２ミラーユニット１２０ｂの走査によるスライダ３０４，３０５の第２ミラーフレーム３０１に対する緩みを防止することが可能となる。
【００５７】
また、スライダ３０４，３０５の突起部３０４ｄ（３０５ｄ）は、ビス部３０４ｂ（３０５ｂ）の先端領域、すなわち軸線方向の矢印Ｙの範囲に設けられない。そのため、スライダ３０４，３０５を、第２ミラーフレーム３０１に問題なくねじ込み始めることが可能となる。
【００５８】
また、突起部３０４ｄ（３０５ｄ）におけるテーパー部３０５ｅ，３０５ｆの案内により、突起部３０４ｄ（３０５ｄ）は、第２ミラーフレーム３０１のビス穴部３０１ａにより塑性変形される。これにより、締め込みトルクの増加が微小にとどまり、締め込みトルクの増大や、スライダ３０４，３０５が曲がることによって第２ミラーフレーム３０１に取り付いてしまうような、組立時における問題を回避することが可能となる。
【００５９】
また、スライダ３０４，３０５および第２ミラーフレーム３０１においては、上述したビス部３０４ｂ（３０５ｂ）とビス穴部３０１ａとの間の取付けガタは、突起部３０４ｄ（３０５ｄ）における塑性変形によって吸収される。そのため、取り付けガタを防止することができるので、第２ミラーユニット１２０ｂの走査時の振動を防止することが可能となる。
【００６０】
また、この一実施形態においては、スライダ３０４，３０５の突起部３０４ｄ（３０５ｄ）を塑性変形させることによって、スライダ３０４，３０５の第２ミラーフレーム３０１に対する緩みトルクの増大が図られている。
【００６１】
しかしながら、例えば図３に示すように、第２ミラーフレーム３０１のビス穴部３０１ａのタップ穴形状に比して、スライダ３０４，３０５のビス部３０４ｂ（３０５ｂ）のタップ山形状を膨張したような形状にしてオーバーラップさせることによっても、同様の効果を得ることができる。
【００６２】
以上説明したように、この発明の一実施形態による画像読取装置によれば、スライダ３０４（３０５）は、その突起部３０４ｄ（３０５ｄ）が塑性変形された状態で第２ミラーフレーム３０１のビス穴部３０１ａにねじ込まれる。そのため、スライダ３０４（３０５）の第２ミラーフレーム３０１に対する緩みトルクが増加し、第２ミラーユニット１２０ｂの走査によるスライダ３０４，３０５の第２ミラーフレーム３０１に対する緩みを防止することが可能である。
【００６３】
したがって、スライダ３０４，３０５の緩みに起因する、第２反射ミラー１２１および第３反射ミラー１２２の傾きを防止することができ、これにより、読み取り画像の幾何特性の悪化を防止することが可能となる。
【００６４】
また、この一実施形態による画像読取装置によれば、スライダ３０４，３０５と第２ミラーフレーム３０１とにおいて、突起部３０４ｄ，３０５ｄの塑性変形によって、ビス部３０４ｂ，３０５ｂとビス穴部３０１ａとの間の取付けガタを抑制することが可能となる。
【００６５】
これにより、第２ミラーユニット１２０ｂにおける走査時の振動を防止することが可能となり、画像の位置ズレや、複数の色を読み取る場合の色ズレなどの、いわゆる読み込み画像特性の悪化を防止することが可能となる。
【００６６】
以上、この発明の一実施形態について具体的に説明したが、この発明は、上述の一実施形態に限定されるものではなく、この発明の技術的思想に基づく各種の変形が可能である。
【００６７】
例えば、上述の一実施形態において挙げた材料、画像読取装置の構成はあくまでも例に過ぎず、必要に応じてこれと異なる材料、画像読取装置の構成を採用してもよい。
【００６８】
また、たとえば上述の一実施形態においては、第２ミラーユニット１２０ｂのスライダについて説明したが、第１の走査手段としての第１ミラーユニット１１０のスライダ（図示せず）に、この一実施形態におけると同様の構成を採用しても、同様の効果を得ることができる。
【００６９】
また、たとえば上述の一実施形態においては、オーバーラップするスライダ３０４，３０５のビス部３０４ｂ，３０５ｂの形状として、図２および図３に示す形状を採用しているが、オーバーラップするスライダ３０４，３０５のビス部３０４ｂ，３０５ｂの形状は、図２および図３に示す形状以外にも、スライダ３０４，３０５のビス部３０４ｂ，３０５ｂと第２ミラーフレーム３０１のビス穴部３０１ａとがオーバーラップする形状であれば同様の効果を得ることができる。
【００７０】
【発明の効果】
以上説明したように、この発明による画像読取装置によれば、傾き調整や平面度の調整を容易に行うことができるとともに、位置調整可能なスライダの緩み防止および、取付けガタの防止を図ることができ、これによって、幾何特性や、画像の位置ズレが生じたりカラーの場合に色ズレが生じたりするなどの、読み込まれた画像の画像特性の悪化を防止することが可能となる。
【図面の簡単な説明】
【図１】この発明の一実施形態によるスライダ部を用いる画像読取装置の略線図である。
【図２】この発明の一実施形態による画像読取装置に採用されるスライダ部を示す、断面図および側面図である。
【図３】この発明の一実施形態による画像読取装置に採用されるスライダ部の他の例を示す拡大断面図である。
【図４】従来技術による画像読取装置を示す略線図である。
【図５】従来技術による画像読取装置におけるスライダ部を示す正面図、上面図および左右側面図である。
【図６】従来技術による画像読取装置におけるスライダ部を示す正面図、上面図および左右側面図である。
【図７】従来技術による画像読取装置に採用されるスライダ部における問題点を説明するための側面図および拡大断面図である。
【符号の説明】
１，１０１　原稿
２，１０２　プラテンガラス
３，１０３　白色板
４，１０４　圧板
５，１０５　レンズユニット
６，１０６　ＣＣＤリニアイメージセンサ
７，１０７　ステッピングモータ
８，１１０　第１ミラーユニット
９，１２０，１２０ａ，１２０ｂ　第２ミラーユニット
１１，１１１　原稿照明ランプ
１２，１１２　第１反射ミラー
１３，１１３　インバータ
１４，１２１　第２反射ミラー
１５，１２２　第３反射ミラー
３０，１３０　リーダー
２０１，３０１　第２ミラーフレーム
２０２　スライダフレーム前
２０３　スライダフレーム後
２０４，２０５，２０６，２０７，３０４，３０５，３０６，３０７　スライダ
２０８，２０９　ビス
２１０　軸
２５１，３５１　光学レール前
２５２，３５２　光学レール後
３０１ａ　ビス穴部
３０２　前側板
３０３　後側板
３０４ａ，３０５ａ　摺動部
３０４ｂ，３０５ｂ　ビス部
３０４ｃ，３０５ｃ　凹部
３０４ｄ，３０５ｄ　突起部
３０５ｅ，３０５ｆ　テーパー部
３６１　調整工具
３７１　接着剤
【図１】
2004126158.tif 000003
【図２】
2004126158.tif 000004
【図３】
2004126158.tif 000005
【図４】
2004126158.tif 000006
【図５】
2004126158.tif 000007
【図６】
2004126158.tif 000008
【図７】
2004126158.tif 000009